(57)【要約】【課題】流入口から流入した球の移動経路に変化をもたせ遊技の興趣を高めることができる役物装置を備えた遊技機を提供する。【解決手段】遊技盤１０上を流れる球Ｂが流入可能な流入口５１と、流入口５１から流入した球Ｂを受けて一部の球Ｂを遊技者に対し有利となる領域に導く球受け部６０と、がそれぞれ設けられる。球受け部６０には、横長状の回転体７０が横軸線回りに回転可能に装着される。回転体７０上には、その長手方向の端部に向けて球Ｂを回転移動せる横経路１００が構成される。回転体７０の長手方向の端部近傍には、回転体７０の横軸線回りの回転動作にともなって球Ｂを第１の放出経路１０１と、第２の放出経路１０２とに振り分ける振分部７９が設けられる。第１の放出経路１０１に流れた球Ｂが、第２の放出経路１０２に流れた球Ｂよりも高い確率で遊技者に対し有利となる領域２６に流入する構成にしてある。【選択図】　　　　図７
2004097800.tif 000002
【特許請求の範囲】
【請求項１】
遊技盤の盤面上を流れる球を受け、その球のうち一部の球を遊技者に対し有利となる領域に導く球受け部と、がそれぞれ設けられた役物装置を備えた遊技機であって、
前記球受け部には、横長状の回転体が横軸線回りに回転可能に装着され、
前記回転体上には、その長手方向の端部に向けて球を回転移動せる横経路が構成され、
前記回転体の長手方向の端部近傍には、同回転体の横軸線回りの回転動作にともなって前記球を第１の放出経路と、第２の放出経路とに振り分ける振分部が設けられ、
前記第１の放出経路に流れた球が、前記第２の放出経路に流れた球よりも高い確率で前記遊技者に対し有利となる領域に流入する構成にしてある遊技機。
【請求項２】
請求項１に記載の遊技機であって、
役物装置は、遊技盤の盤面上を流れる球が流入可能な流入口を有し、その流入口の下部に球受け部が設けられている遊技機。
【請求項３】
請求項１又は２に記載の遊技機であって、
振分部は、回転体の長手方向の端部寄り部分の外周面に形成されかつ同回転体の横軸線回りの回転動作にともなって球を第１、第２の放出経路のいずれか一方の放出経路に導く球放出部と、
回転体の長手方向の端部に隣接する部分に形成されかつ同回転体の横軸線回りの回転動作にともなってその回転体の横経路を通過した球を受けてその球を前記他方の放出経路に導く誘導部とを備えて構成されている遊技機。
【請求項４】
請求項１又は２に記載の遊技機であって、
振分部は、回転体の長手方向の端部寄り部分の外周面に形成されかつ同回転体の横軸線回りの回転動作にともなって球を第１の放出経路に導く第１の球放出部と、その第１の球放出部と変位して前記回転体の外周面に形成されかつ球を第２の放出経路に導く第２の球放出部と、を備えて構成されている遊技機。
【請求項５】
請求項１〜４のいずれか一項に記載の遊技機であって、
球受け部には、回転体の前側に沿って球が回転移動可能な球受棚が設けられ、第１の放出経路の少なくとも一部が前記球受棚によって構成されている遊技機。
【請求項６】
請求項１〜５のいずれか一項に記載の遊技機であって、
回転体の後側には、同回転体と協働して横経路を構成する後側壁が設けられるとともに、その後側壁の一部に前記回転体上の球が流入可能な流入口を有する誘導案内路が形成され、
第１の放出経路の少なくとも一部が前記誘導案内路によって構成されている遊技機。
【請求項７】
請求項１〜４のいずれか一項に記載の遊技機であって、
球受け部には、回転体の前側に沿って球が回転移動可能な球受棚が設けられる一方、
前記回転体の後側には、同回転体と協働して横経路を構成する後側壁が設けられるとともに、その後側壁の一部に前記回転体上の球が流入可能な流入口を有する誘導案内路が形成され、
第１の放出経路が前記球受棚と前記誘導案内路によって構成されている遊技機。
【請求項８】
請求項７に記載の遊技機であって、
回転体には、球受棚上の球を磁力によって吸着しかつ同回転体の横軸線回りの回転動作にともなって前記球を誘導案内路の流入口まで移送してその球を誘導案内路内に放出する磁石が設けられている遊技機。
【請求項９】
請求項７又は８に記載の遊技機であって、
回転体には、球受棚上の球を磁力によって吸着しかつ同回転体の横軸線回りの回転動作にともなって前記球を後側壁に当接する位置まで移送してその球を横経路に放出する磁石が設けられている遊技機。
【発明の詳細な説明】
【０００１】
【発明の属する技術分野】
この発明は、例えば、パチンコ機（雀球機、アレンジボール機等も含む）等の弾球遊技機とも呼ばれることがある遊技機に関する。
【０００２】
【従来の技術】
パチンコ機等の遊技機において、遊技盤の盤面上を流れる球が流入可能な流入口と、その流入口から流入した球を受け、その球を揺動させながら放出し、一部の球を遊技者に対し有利となる領域（例えば、入賞口や始動口等の入球口）に導く球受棚と、がそれぞれ設けられた役物装置（例えば、センタ役物と呼ばれている役物装置）を備えた構造のものが知られている。
また、この種の役物装置において、その流入口から流入して球受棚上に受けられた球は、その球受棚上の波形状の凹凸面に沿って左右方向に揺動しながら移動し、その球の揺動が弱まったところで、球受棚の中央部あるいは左右両側部に設けられた複数の放出部のいずれかから放出されるようになっている。また、球受棚の中央部の放出部の直下に位置して入球口が設けられている。
したがって、球受棚の中央部の放出部から放出される球は、比較的高い確率で入賞口や始動口等の入球口に流入するようになっている。
【０００３】
【発明が解決しようとする課題】
ところで、前記したような構造をもつ役物装置においては、流入口から流入して球受棚上に受けられた球は、その球受棚上の波形状の凹凸面に沿って左右方向に揺動して、複数の放出部のいずれかから放出される構造上、球の動きが単調であった。
【０００４】
この発明の目的は、前記問題点に鑑み、流入口から流入して球受け部に受けられた球の移動経路に変化をもたせ遊技の興趣を高めることができる役物装置を備えた遊技機を提供することにある。
【０００５】
【課題を解決するための手段】
前記目的を達成するために、第１の発明に係る遊技機は、請求項１に記載のとおりの構成を要旨とするもので、遊技盤の盤面上を流れる球を受け、その球のうち一部の球を遊技者に対し有利となる領域に導く球受け部と、がそれぞれ設けられた役物装置を備える。前記球受け部には、横長状の回転体が横軸線回りに回転可能に装着され、前記回転体上には、その長手方向の端部に向けて球を回転移動せる横経路が構成される。前記回転体の長手方向の端部近傍には、同回転体の横軸線回りの回転動作にともなって前記球を第１の放出経路と、第２の放出経路とに振り分ける振分部が設けられる。そして、前記第１の放出経路に流れた球が、前記第２の放出経路に流れた球よりも高い確率で前記遊技者に対し有利となる領域に流入する構成にしてある。
したがって、遊技盤の盤面上を流れる球が球受け部に受けられと、その球が横長状の回転体上の横経路に沿って回転移動する。
回転体の横経路の端部近傍に球が達すると、回転体の横軸線回りの回転動作にともないかつ同回転体の振分部によって、球が第１の放出経路あるいは第２の放出経路のいずれかに振り分けられて流れる。
そして、第１の放出経路に球が流れたときには、第２の放出経路に流れたときよりも高い確率で遊技者に対し有利となる領域、例えば、入賞口や始動口等の入球口に流入する。
前記したようにして球の移動経路に変化をもたせることができ、第１の放出経路に球が流れたときには、その球が高い確率で遊技者に対し有利となる領域に流入するため、遊技者に対し期待感を与えることができる。
【０００６】
第２の発明に係る遊技機は、請求項２に記載のとおりの構成を要旨とするもので、役物装置は、遊技盤の盤面上を流れる球が流入可能な流入口を有し、その流入口の下部に球受け部が設けられている。
したがって、遊技盤の盤面上を流れる球は、まず、流入口から流入した後、その下部の球受け部に受けられる。その後は、請求項１と略同様にして球が横長状の回転体上の横経路に沿って回転移動する。そして、第１の放出経路に球が流れたときには、第２の放出経路に流れたときよりも高い確率で遊技者に対し有利となる領域、例えば、入賞口や始動口等の入球口に流入する。
このように、球の移動経路に変化をもたせることができ、第１の放出経路に球が流れたときには、その球が高い確率で遊技者に対し有利となる領域に流入するため、遊技者に対し期待感を与えることができる。
【０００７】
第３の発明に係る遊技機は、請求項３に記載のとおりの構成を要旨とするもので、振分部は、回転体の長手方向の端部寄り部分の外周面に形成されかつ同回転体の横軸線回りの回転動作にともなって球を第１、第２の放出経路のいずれか一方の放出経路に導く球放出部と、回転体の長手方向の端部に隣接する部分に形成されかつ同回転体の横軸線回りの回転動作にともなってその回転体の横経路を通過した球を受けてその球を前記他方の放出経路に導く誘導部とを備えて構成されている。
したがって、回転体の長手方向の端部寄り部分の球放出部と、同回転体の長手方向の端部に隣接する部分の誘導部によって振分部を容易に構成することができる。
【０００８】
第４の発明に係る遊技機は、請求項４に記載のとおりの構成を要旨とするのもで、振分部は、回転体の長手方向の端部寄り部分の外周面に形成されかつ同回転体の横軸線回りの回転動作にともなって球を第１の放出経路に導く第１の球放出部と、その第１の球放出部と変位して前記回転体の外周面に形成されかつ球を第２の放出経路に導く第２の球放出部と、を備えて構成されている。
したがって、回転体の長手方向の端部寄り部分の外周面に第１の球放出部と第２の球放出部とをそれぞれ隣接して形成することで、振分部を容易に構成することができる。
【０００９】
第５の発明に係る遊技機は、請求項５に記載のとおりの構成を要旨とするもので、球受け部には、回転体の前側に沿って球が回転移動可能な球受棚が設けられ、第１の放出経路の少なくとも一部が前記球受棚によって構成されている。
したがって、回転体上の横経路と、その回転体前側の球受棚によって球の移動経路を多様に変化させることが可能となる。
【００１０】
第６の発明に係る遊技機は、請求項６に記載のとおりの構成を要旨とするもので、回転体の後側には、同回転体と協働して横経路を構成する後側壁が設けられるとともに、その後側壁の一部に前記回転体上の球が流入可能な流入口を有する誘導案内路が形成される。第１の放出経路の少なくとも一部が前記誘導案内路によって構成されている。
したがって、回転体とその後側の後側壁によって構成された横経路に沿って球が良好に回転移動するとともに、その横経路と、後側壁の一部に流入口を有する誘導案内路によって球の移動経路を多様に変化させることが可能となる。
【００１１】
第７の発明に係る遊技機は、請求項７に記載のとおりの構成を要旨とするのもで、球受け部には、回転体の前側に沿って球が回転移動可能な球受棚が設けられる。一方、前記回転体の後側には、同回転体と協働して横経路を構成する後側壁が設けられるとともに、その後側壁の一部に前記回転体上の球が流入可能な流入口を有する誘導案内路が形成される。第１の放出経路が前記球受棚と前記誘導案内路によって構成されている。
したがって、回転体とその後側の後側壁によって構成された横経路に沿って球が良好に回転移動する。また、横経路、誘導案内路及び球受棚によって球の移動経路をより一層多様に変化させることが可能となる。
【００１２】
第８の発明に係る遊技機は、請求項８に記載のとおりの構成を要旨とするもので、回転体には、球受棚上の球を磁力によって吸着しかつ同回転体の横軸線回りの回転動作にともなって前記球を誘導案内路の流入口まで移送してその球を誘導案内路内に放出する磁石が設けられている。
したがって、回転体の横軸線回りの回転動作にともない同回転体の磁石によって球受棚上の球を吸着して誘導案内路内に放出することができる。
【００１３】
第９の発明に係る遊技機は、請求項９に記載のとおりの構成を要旨とするもので、回転体には、球受棚上の球を磁力によって吸着しかつ同回転体の横軸線回りの回転動作にともなって前記球を後側壁に当接する位置まで移送してその球を横経路に放出する磁石が設けられている。
したがって、回転体の横軸線回りの回転動作にともない同回転体の磁石によって球受棚上の球を吸着して横経路に放出することができる。
【００１４】
また、この発明は前記した請求項１〜９以外に、次の（１）及び（２）に述べるように構成することができる。
（１）役物本体側には、横長状の回転体の長手方向の略中央部を回転可能に支持する支持面を有する支持体が配設される構成にする。
前記構成において、支持体の支持面によって横長状の回転体の長手方向の略中央部を回転可能に支持することで、横長状の回転体を長期間にわたって良好に支持することができるとともに、回転体の不測のガタツキや浮き上がりによる不具合を防止することができ、耐久性の向上を図ることができる。
（２）回転体は、その長手方向中央部に設けらた中央回転子と、その中央回転子の両側部から一体状に延出された太鼓形状をなす左右の両側回転子と、を備え、左右の両側回転子上には、球を内側（回転体の長手方向中央部側）と外側（回転体の長手方向の端部側）の両横方向に誘導する外横経路と内横経路とがそれぞれ構成されるようにする。
前記構成において、球の動きをより一層変化させることができ、遊技の興趣をより一層高めることができる。
また、回転体の中央回転子と、左右の両側回転子とをそれぞれ個別に回転制御することも可能である。
この場合には、中央回転子と、左右の両側回転子との回転速度や、回転、停止をそれぞれ個別に制御するして球の流れを多様に変化させることが可能となる。なお、この発明の請求項１〜９のいずれか一項の従属項として、前記（１）及び（２）の構成を適応することが可能である。
【００１５】
【発明の実施の形態】
（実施の形態１）
この発明の実施の形態１を図１〜図８にしたがって説明する。
遊技機としての弾球遊技機（主としてパチンコ機）の所定位置に配置される遊技盤を正面で表した図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、球発射装置（図示しない）によって発射された球（パチンコ球）を遊技領域１５の上部に案内する球発射通路１４が形成されている。
遊技盤１０前面の遊技領域１５の略中央部には役物装置４０が装着されている。
また、遊技盤１０前面の遊技領域１５内には、その役物装置４０の片側（図１に向かって左側）に位置して普通図柄始動用ゲート口２０が設けられている。
【００１６】
また、遊技盤１０前面の遊技領域１５内には、役物装置４０の下方中央部に位置しかつ遊技者に対し有利となる領域としての入球口、この実施の形態１においては可変始動口２６を備えた入球装置２５が配設されている。また、可変始動口２６には、一対の開閉部材２８が開閉可能に設けられ、これら開閉部材２８が開いて可変始動口２６が拡開されたときには球Ｂが流入し易く、開閉部材２８が閉じて可変始動口２６が狭くなったときには球Ｂが流入し難くなるように構成されている。
また、入球装置２５の可変始動口２６（入球口）に球Ｂが流入すると、後述する図柄表示装置４５が作動するようになっている。なお、球Ｂが普通図柄始動用ゲート口２０を通過することで、後述する普通図柄表示部４７が作動して普通図柄の抽選が行われる。そして、普通図柄表示部４７の抽選に基づいて、入球装置２５の開閉部材２８が所定時間（例えば、１秒間）開放し、これによって入球装置２５の可変始動口２６が拡開してその可変始動口２６に球Ｂが流入し易くなっている。
【００１７】
また、遊技盤１０前面の遊技領域１５内には、その入球装置２５の下方に位置してアタッカ装置３０が装着されている。このアタッカ装置３０には、その略中央部に開閉扉３１によって開閉される大入賞口３２が設けられている。
また、遊技盤１０前面の遊技領域１５内には、その最下端に位置しかつアタッカ装置３０の下方においてアウト口３３が形成され、さらに、アタッカ装置３０の左右両側方に位置して所定数（図１では４つ）の一般入賞口３７が設けられている。
また、遊技盤１０前面の遊技領域１５の左右両側部には発光レンズを有するサイド装飾部材３５が配設されている。また、遊技盤１０前面の遊技領域１５内の所定箇所に風車器１８が配設されるとともに、遊技領域１５内の略全域にわたって多数の釘（図示しない）が配設されている。
【００１８】
図１と図２に示すように、役物装置４０は、その主体部をなす役物本体４１と図柄表示装置４５とを備えている。
役物装置４０の本体部をなす役物本体４１は、複数の本体構成部材によって形成され、遊技盤１０の略中央部に貫設された役物装着孔の前面開口部の周縁を塞ぐようにして枠状に構成されている。そして、役物本体４１はビス等によって遊技盤１０の前面（盤面）に取り付けられている。
役物本体４１の略中央部には、四角形、円形等の開口窓が形成されている。
役物本体４１の開口窓の後側には、図柄表示装置４５が装着されている。この図柄表示装置４５の表示部４６の略全域には、特別図柄が変動表示される特別図柄表示領域が設けられている。また、表示部４６の一部には、普通図柄が変動表示される普通図柄表示部４７が設けらている。
【００１９】
図２に示すように、役物本体４１の左右両側部には、遊技盤１０の盤面（前面）上を流れる球Ｂが流入可能な流入口５１を有する球通路（ワープ通路と呼ばれることもある）がそれぞれ設けられている。また、流入口５１には、遊技盤１０の盤面（前面）上を流れる球Ｂを受けその球Ｂを流入口５１に導く受口体５２が形成されている。
役物本体４１の下部には、両流入口５１からそれぞれ流入した球Ｂを受け、これら球Ｂのうち一部の球Ｂを可変始動口２６（遊技者に対し有利となる領域）に導く球受け部６０が設けられている。
図２に示すように、球受け部６０には、横長状の回転体７０が横軸線回りに回転可能に装着され、その回転体７０の前側に沿って球Ｂが回転移動可能な球受棚６１が設けられている。また、回転体７０の後側に位置して後側壁８０が設けられている。
【００２０】
回転体７０の前側に沿って設けられ球受棚６１は、中央部が低く両側部が高い緩やかな湾曲状に形成されるとともに、その左右両側部には流入口５１に向けて立ち上がるようにして湾曲状をなす側湾曲部６２が連続状に形成されている。そして、流入口５１から流入した球Ｂは、側湾曲部６２を経て球受棚６１状に流れる（回転移動する）ようになっている。
また、球受棚６１上面の前側（この実施の形態１では球受棚６１の通路幅の略中間位置）には、球Ｂを受け止める突縁６３が形成されるとともに、その突縁６３の左右両側部と中央部の３箇所が切り欠き状に除かれ、これによって、球受棚６１の左右両側部並びに中央部には、球をそれぞれ流下させて放出する側放出部６４と中央放出部６５とがそれぞれ形成されている。
また、中央放出部６５は球Ｂよりも大きい曲率をもつ凹部によって形成され、その中央放出部６５から放出される球Ｂのうち、一部の球Ｂが可変始動口２６に流入可能に形成されている。すなわち、中央放出部６５の直下に位置して可変始動口２６が配設されている。
【００２１】
図２〜図４に示すように、横長状をなす回転体７０は、回転体ユニット９０に組み付けられて役物本体４１の球受け部６０の所定位置に装着されている。すなわち、回転体ユニット９０は、回転体７０、保持部材９１、モータ９５等を一体状に備えて１つのユニットとして取り扱い可能に構成されている。また、回転体７０は、その長手方向両端部において、保持部材９１に対し横軸７１を中心としかつモータ９５を駆動源として一方向に連続回転可能に装着されている。
この回転体７０上には、その長手方向の端部に向けて球Ｂを回転移動せる横経路１００が構成され、その回転体７０の長手方向の端部近傍には、同回転体７０の横軸線回りの回転動作にともなって球Ｂを第１の放出経路１０１と、第２の放出経路１０２とに振り分ける振分部７９が設けられてる。そして、第１の放出経路１０１に流れた球Ｂが、第２の放出経路１０２に流れた球Ｂよりも高い確率で可変始動口２６（遊技者に対し有利となる領域）に流入するようになっている。
【００２２】
この実施の形態１において、図３と図４に示すように、回転体７０は、その中央部において平行筒状をなして存在する中央部分７２と、その中央部分７２の両端から左右方向に一体状に延出されかつ延出端に向かうにしたがって外径が小さくされてテーパ状に形成された左右の両テーパ部７４と、を一体連続状に有している。そして、回転体７０の長手方向の両端部寄り部分の外周面、すなわち、左右の両テーパ部７４の先端部寄り外周面には、同回転体７０の横軸線回りの回転動作にともなって球Ｂを第２の放出経路１０２に導く球放出部７７が１８０度位相した位置でそれぞれ面取り状に形成されている。この実施の形態１において、回転体７０の球放出部７７は、球受棚６１の側放出部６４の後側に隣接して形成されており、球受棚６１の側放出部６４を第２の放出経路１０２としている。
【００２３】
また、図３に示すように、回転体７０の長手方向の両端に隣接する部分をなす保持部材９１の一部には、回転体７０の横軸線回りの回転動作にともなってその回転体７０の横経路１００を通過した球Ｂを受けてその球Ｂを第１の放出経路１０１に導く誘導部７８が形成されている。
この第１の放出経路１０１は、球受棚６１と、次に述べる誘導案内路８２によって構成されている。
すなわち、図２と図３に示すように、回転体７０の後側には、回転体７０と協働して横経路１００を構成する後側壁８０が設けられるとともに、その後側壁８０の一部に回転体７０上の球Ｂが流入可能な流入口８１を有する誘導案内路８２が形成されている。この誘導案内路８２は、回転体７０の下方を潜って役物本体４１の下部中央部に開口し、その開口部を流出口８３としている。
また、図２に示すように、誘導案内路８２の流出口８３は、球受棚６１の中央放出部６５の直下に位置するとともに、図１に示すように、可変始動口２６（遊技者に対し有利となる領域）の直上に接近して設けられている。そして、誘導案内路８２の流出口８３から流出された球Ｂは、球受棚６１の中央放出部６５から放出される球Ｂよりも高い確率で可変始動口２６（遊技者に対し有利となる領域）に流入するようになっている。
すなわち、この実施の形態１において、振分部７９は、球放出部７７と誘導部７８によって構成されるようになっている。
【００２４】
また、この実施の形態１において、図４に示すように、回転体７０の中央部分７２の外周面には、球受棚６１上の球Ｂを磁力によって吸着しかつ回転体７０の横軸線回りの回転動作にともなって球Ｂを誘導案内路８２の流入口８１まで移送してその球Ｂを誘導案内路８２内に放出する２つの第１の磁石７３が１８０度の角度を隔てて埋め込み状に設けられている。
また、回転体７０の左右のテーパ部７４の外周面には、中央部分７２と接近した位置でかつ球受棚６１上の球Ｂを磁力によって吸着しかつ回転体７０の横軸線回りの回転動作にともなって球Ｂを後側壁８０の前面に当接する位置まで移送してその球Ｂを横経路１００に放出する第２の磁石７５と第３の磁石７６とがそれぞれ１８０度の角度を隔てて埋め込み状に設けられている。
また、第２の磁石７５と第３の磁石７６は、第１の磁石７３と９０度の角度を隔てて回転体７０の左右のテーパ部７４の外周面にそれぞれ配設されている。
【００２５】
この実施の形態１に係る遊技機としてのパチンコ機は上述したように構成される。したがって、遊技の際、図示しない球発射装置から球発射通路１４に発射された球Ｂ（パチンコ球Ｂ）は、遊技領域１５の上部に打ち出され、多数の釘、風車器１８等に案内されながら遊技領域１５の下部に向けて流れる。
遊技領域１５に打ち出された球Ｂのうち、一部の球Ｂは普通図柄始動用ゲート口２０を通過したり、あるいは、入球装置２５の可変始動口２６、一般入賞口３７等の入球口に流入する。また、これら入球口に流入しなかった多くの球Ｂは遊技領域１５の下部のアウト口３３に流入し、機外に排出される。
【００２６】
球Ｂが普通図柄始動用ゲート口２０を通過すると、その球Ｂがセンサによって検出され、その検出信号が主制御装置（図示しない）に送られる。すると、その信号が図柄表示装置４５に伝達され、その表示部４６の一部に設けられた普通図柄表示部４７の図柄が変動する。そして普通図柄表示部４７には、抽選結果に基づく図柄が表示される。
普通図柄表示部４７の図柄が当たり図柄となって表示されると、入球装置２５の可変始動口２６の開閉部材２８が所定時間（例えば、１秒間）開放して閉じる。
入球装置２５の可変始動口２６に球Ｂが流入すると、その球Ｂがセンサによって検出され、その検出信号が主制御装置に送られる。すると、その信号が図柄表示装置４５に伝達され、これによって表示部４６に表示された図柄が変動し、設定時間後停止する。そして、表示部４６には抽選結果に基づく図柄が表示される。
【００２７】
表示部４６に表示された図柄が「大当たり図柄」、例えば「７・７・７」となって停止した場合、大当たりとなる。すると、アタッカ装置３０の開閉扉３１によって大入賞口３２が開かれる。大入賞口３２に球Ｂが１０個流入するか、あるいは、３０秒経過すると、開閉扉３１によって大入賞口３２が閉じられる。
大入賞口３２の開放時において、その大入賞口３２に設けられた特定領域に球Ｂが入ると、開閉扉３１によって大入賞口３２が一旦閉じられた後、再び開かれる。開閉扉３１によって大入賞口３２が所定回数、例えば、最大１６回（すなわち１６ラウンド）開閉を繰り返すことで、大当たり遊技が終了する。
【００２８】
遊技の際、図５に示すように、遊技領域１５に打ち出された球Ｂのうち、一部の球Ｂは、役物本体４１の左右両側に配置された流入口５１から流入して球受け部６０に受けられる。この実施の形態１において、流入口５１から流入した球Ｂは、左右の側湾曲部６２に誘導案内されて球受棚６１上に流れる（回転移動する）。球受棚６１上に流れて左右方向へ揺動した球Ｂのうち、一部の球Ｂは、球受棚６１の左右の側放出部６４あるいは中央放出部６５から放出される。
また、図６に示すように、球受棚６１上の中央放出部６５近傍に流れた球Ｂのうち、一部の球Ｂは、回転体７０の中央部分７２の第１の磁石７３の磁力によって吸着される。そして、第１の磁石７３に吸着された球Ｂは、回転体７０の横軸線回りの回転動作にともなって誘導案内路８２の流入口８１まで移送されその誘導案内路８２内に放出される。誘導案内路８２内に放出された球Ｂは、その誘導案内路８２の流出口８３から放出され、高い確率で可変始動口２６（遊技者に対し有利となる領域）に流入する。なお、遊技の際、回転体７０は、横軸線回り、すなわち、横軸７１を中心としかつモータ９５を駆動源として一方向に連続回転される。
【００２９】
図７と８図に示すように、球受棚６１上の中央放出部６５の左右部近傍に流れた球Ｂのうち、一部の球Ｂは、回転体７０のテーパ部７４の第２の磁石７５の磁力によって吸着されたりあるいは第３の磁石７６の磁力によって吸着される。
第２の磁石７５あるいは第３の磁石７６に吸着された球Ｂは、回転体７０の横軸線回りの回転動作にともなって後側壁８０の前面に当接する位置まで移送されて放出された後、横経路１００に沿いかつ回転体７０の端部に向けて回転移動する。そして、回転体７０の長手方向の端部近傍に設けられた振分部７９によって前記球Ｂが第１の放出経路１０１と、第２の放出経路１０２に振り分けられて流れる。そして、第１の放出経路１０１に流れた球Ｂは、第２の放出経路１０２に流れた球Ｂよりも高い確率で可変始動口２６（遊技者に対し有利となる領域）に流入する。
【００３０】
すなわち、この実施の形態１において、第２の磁石７５に吸着された球Ｂは、回転体７０の横軸線回りの回転動作にともなって後側壁８０の前面に当接する位置まで移送された後、横経路１００に沿いかつ回転体７０の端部に向けて回転移動する。そして、前記球Ｂは、回転体７０端部の球放出部７７を越えて（通過して）誘導部７８に流れる。
誘導部７８に流れた球Ｂは、誘導部７８に導かれて第１の放出経路１０１としての球受棚６１上に戻されて（リプレイされて）、球受棚６１の中央部に向けて流れる。
そして、球受棚６１上に戻された球Ｂは、前記したような経路を経て放出される。言い換えると、球受棚６１上に戻された球Ｂのうち、一部の球Ｂは第１の磁石７３に吸着されて誘導案内路８２内に放出され、高い確率で可変始動口２６（遊技者に対し有利となる領域）に流入する。
【００３１】
また、第３の磁石７６に吸着された球Ｂは、回転体７０の横軸線回りの回転動作にともなって後側壁８０の前面に当接する位置まで移送されて横経路１００に放出される。
横経路１００に放出された球Ｂは、横経路１００に沿いかつ回転体７０の端部に向けて回転移動して回転体７０端部の球放出部７７に受けられる。そして前記球Ｂは、球放出部７７に導かれて第２の放出経路１０２としての球受棚６１の側放出部６４から前方に向けて放出される。
球受棚６１の側放出部６４から前方に向けて放出される球Ｂは、殆ど可変始動口２６（遊技者に対し有利となる領域）に流入することなく遊技盤１０の遊技領域１５の下側に流れる。
【００３２】
前記したようにして、球受け部６０に横長状の回転体７０を設け、その回転体７０の端部近傍に振分部７９を設けることによって、球Ｂの移動経路に従来と異なる変化をもたせることができ、第１の放出経路１０１に球Ｂが流れたときには、その球Ｂが高い確率で可変始動口２６（遊技者に対し有利となる領域）に流入するため、遊技者に対し期待感を与えることができる。
また、この実施の形態１において、回転体７０の長手方向の端部寄り部分の球放出部７７と、回転体７０端部に隣接する誘導部７８によって振分部７９を容易に構成することができる。
また、球受け部６０には、回転体７０と、その回転体７０の前側に沿って球Ｂが回転移動可能な球受棚６１とがそれぞれ設けられ、第１の放出経路１０１の少なくとも一部が球受棚６１によって構成されている。このため、回転体７０上の横経路１００と、球受棚６１によって球Ｂの移動経路を多様に変化させることが可能となる。
【００３３】
また、この実施の形態１において、回転体７０と、その後側の後側壁８０によって、回転体７０上に横経路１００が構成されるとともに、後側壁８０の一部に流入口８１を有する誘導案内路８２が形成されている。さらに、第１の放出経路１０１が球受棚６１と誘導案内路８２によって構成されている。
このため、横経路１００に沿って球Ｂが良好に回転移動するとともに、その横経路１００、球受棚６１及び誘導案内路８２によって球Ｂの移動経路をより一層多様に変化させることが可能となる。
また、この実施の形態１において、球受棚６１上の中央放出部６５近傍に流れた球Ｂを回転体７０の第１の磁石７３の磁力によって吸着し、かつ、回転体７０の横軸線回りの回転動作にともなって誘導案内路８２の流入口８１まで移送して誘導案内路８２内に放出することができる。このため、回転体７０の第１の磁石７３によって吸着した球Ｂを高い確率で可変始動口２６（遊技者に対し有利となる領域）に流入させることができる。
【００３４】
また、この実施の形態１において、球受棚６１上の中央放出部６５の左右近傍に流れた球Ｂを第２の磁石７５あるいは第３の磁石７６の磁力によってそれぞれ吸着し、その球Ｂを回転体７０の横軸線回りの回転動作にともなって後側壁８０の前面に当接する位置まで移送して横経路１００上に放出することができる。
しかも、第２の磁石７５に吸着して横経路１００上に放出した球Ｂを誘導部７８に流し、その球Ｂを第１の放出経路１０１としての球受棚６１上に戻す（リプレイする）ことができる。そして、球受棚６１上に戻した一部の球Ｂを第１の磁石７３に吸着して誘導案内路８２内に放出し、高い確率で可変始動口２６（遊技者に対し有利となる領域）に流入させることができる。
一方、第３の磁石７６に吸着して横経路１００上に放出した球Ｂを回転体７０端部の球放出部７７に受けてその球Ｂを第２の放出経路１０２としての球受棚６１の側放出部６４から前方に向けて放出させることができる。
【００３５】
前記実施の形態１において、次に述べるように変更してもこの発明を実施することができる。
例えば、回転体７０の長手方向の端部近傍に設けられかつ回転体７０の横軸線回りの回転動作にともなって球Ｂを第１の放出経路１０１と、第２の放出経路１０２とに振り分ける振分部７９を次に述べるように変更してもよい。
すなわち、図９に示すように、振分部７９は、横長状の回転体７０の長手方向の端部寄り部分の外周面に形成されかつ同回転体７０の横軸線回りの回転動作にともなって球Ｂを第１の放出経路に導く第１の球放出部１１０と、その第１の球放出部１１０と変位（例えば、軸方向に変位）して回転体７０の外周面に形成されかつ球Ｂを第２の放出経路に導く第２の球放出部１１１と、を備えて構成されている。このようにして、回転体７０の長手方向の端部寄り部分の外周面に第１の球放出部１１０と第２の球放出部１１１とをそれぞれ形成することで、振分部７９を容易に構成することができる。
【００３６】
（実施の形態２）
次に、この発明の実施の形態２を図１０と図１１にしたがって説明する。
この実施の形態２においては、回転体ユニット９０の保持部材９１に対し長手方向の両端の横軸７１を中心とし回転可能に組み付けられかつ役物本体４１の球受け部６０の所定位置に装着された横長状の回転体７０の支持構造を変更したものである。
すなわち、この実施の形態２において、回転体７０は、その長手方向中央部に設けらた角筒状の中央部分７２と、その中央部分７２の両側部から軸方向にそれそれ一体状に設けられかつ同中央部分７２よりも適宜に小径に絞られた軸体部７９と、これら両軸体部７９の両側から一体状に延出された左右の両テーパ部７４と、を一体連続状に有している。また、左右の両テーパ部７４は、両軸体部７９に隣接する部分の外径寸法が、これら両軸体部７９よりも適宜に大きく設定され、両テーパ部７４の両端の延出端に向かうにしたがって外径寸法が小さくされてテーパ状をなしている。
【００３７】
一方、役物本体４１側には、回転体７０のガタツキや浮き上がりを防止する円弧状の支持面８６を有する支持体８５が形成されている。
この実施の形態２において、役物本体４１に固定される回転体ユニット９０の保持部材９１に形成された後側壁８０の前側上端部から回転体７０の長手方向中央部の両軸体部７９の外周面に向けて左右の両支持体８５がそれぞれ一体状に延出されている。これら両支持体８５の下部には、回転体７０の両軸体部７９外周面の上方からこれら両軸体部７９に嵌込まれる円弧状の支持面８６がそれぞれ形成されている。そして、両支持体８５の支持面８６によって回転体７０の両軸体部７９の外周面が接して支持されることで、回転体７０のガタツキや浮き上がりが防止されるようになっている。
【００３８】
また、この実施の形態２のその他の構成は実施の形態１と略同様に構成される。
すなわち、回転体７０の左右の両テーパ部７４の先端部寄り外周面には、同回転体７０の横軸線回りの回転動作にともなって球Ｂを第２の放出経路１０２に導く球放出部７７が１８０度位相した位置でそれぞれ面取り状に形成されている。回転体７０の球放出部７７は、球受棚６１の側放出部６４の後側に隣接して形成されており、球受棚６１の側放出部６４を第２の放出経路１０２としている。
【００３９】
また、回転体７０の長手方向の両端に隣接する部分をなす保持部材９１の一部には、回転体７０の横軸線回りの回転動作にともなってその回転体７０の横経路１００を通過した球Ｂを受けてその球Ｂを第１の放出経路１０１に導く誘導部７８が形成されている。この第１の放出経路１０１は、球受棚６１と、誘導案内路８２によって構成されている。
また、回転体７０の後側には、回転体７０と協働して横経路１００を構成する後側壁８０が設けられるとともに、その後側壁８０の一部に回転体７０上の球Ｂが流入可能な流入口８１を有する誘導案内路８２が形成されている。この誘導案内路８２は、回転体７０の下方を潜って役物本体４１の下部中央部に開口し、その開口部を流出口８３としている。この流出口８３は、可変始動口２６（遊技者に対し有利となる領域）の直上に接近して設けられている。
【００４０】
また、この実施の形態２においても、実施の形態１と略同様にして、回転体７０の中央部分７２の外周面には、球受棚６１上の球Ｂを磁力によって吸着しかつ回転体７０の横軸線回りの回転動作にともなって球Ｂを誘導案内路８２の流入口８１まで移送してその球Ｂを誘導案内路８２内に放出する２つの第１の磁石７３が１８０度の角度を隔てて埋め込み状に設けられている。
また、回転体７０の左右のテーパ部７４の外周面にも、左右の両軸体部７９と接近した位置でかつ球受棚６１上の球Ｂを磁力によって吸着しかつ回転体７０の横軸線回りの回転動作にともなって球Ｂを後側壁８０の前面に当接する位置まで移送してその球Ｂを横経路１００に放出する第２の磁石７５と第３の磁石７６とがそれぞれ１８０度の角度を隔てて埋め込み状に設けられている。
【００４１】
この実施の形態２は上述したように構成される。したがって、この実施の形態２おいても実施の形態１と略同様の作用効果を奏する。
特に、この実施の形態２において、役物本体４１側には、横長状の回転体７０の長手方向の略中央部を支持体８５の円弧状の支持面８６によって支持することができる。このため、横長状の回転体７０を長期間にわたって良好に支持することができるとともに、回転体７０の不測のガタツキや浮き上がりによる不具合を防止することができ、耐久性の向上を図ることができる。
また、この実施の形態２において、役物本体４１に固定される回転体ユニット９０の保持部材９１に形成された後側壁８０の前側上端部から回転体７０の長手方向中央部の両軸体部７９の外周面に向けて左右の両支持体８５がそれぞれ一体状に延出されている。このため、支持体８５を役物本体４１あるいは回転体ユニット９０の保持部材９１とは別体に製作して、組み付ける手間を省くことができ、コスト低減に効果が大きい。
【００４２】
また、図１０と図１１に示すように、回転体７０の中央部分７２の両側部軸方向に、同中央部分７２よりも適宜に小径に絞られた軸体部７９を設け、回転体７０を、その軸体部７９において支持体８５によって支持する構成にしてある。このため、支持体８５が外周面（円弧面）が中央部分７２やテーパ部７４の外周面と略同一にすることができる。このため、支持体８５が中央部分７２やテーパ部７４の外周面から突出して球Ｂの流れを阻害する不具合を防止することができる。
【００４３】
（実施の形態３）
次に、この発明の実施の形態３を図１２〜図２５にしたがって説明する。
この実施の形態３においては、図１２と図１３に示すように、回転体ユニット９０の保持部材９１に対し長手方向の両端の横軸１７１を中心とし回転可能に組み付けられかつ役物本体４１の球受け部６０の所定位置に装着された横長状の回転体１７０自身の構造を変更したものである。
すなわち、この実施の形態３において、回転体１７０は、その長手方向中央部に設けらた中央回転子１７２と、その中央回転子１７２の両側部から一体状に延出された太鼓形状をなす左右の両側回転子１７４と、を一体連続状に有し、全体形状としては略瓢箪形状をなしている。
【００４４】
また、左右の両側回転子１７４は、その各中央部分の外径寸法最大に設定され、その中央部分から各両側部に向かうにしたがって外径寸法がそれぞれ小さくされたテーパ状にそれぞれ形成されている。そして、左右の両側回転子１７４はそれぞれ略太鼓形状をなし、これによって、左右の両側回転子１７４上には、後側壁８０と協働して球を内側（回転体１７０の長手方向中央部側）と外側（回転体１７０の長手方向の端部側）の両横方向に誘導する外横経路１００ａと内横経路１００ｂとがそれぞれ構成されるようになっている。
【００４５】
また、この実施の形態３において、回転体１７０の左右の両側回転子１７４の端部（中央部と反対側）寄り外周面には、同回転体１７０の横軸線回りの回転動作にともなって球Ｂを第２の放出経路１０２に導く球放出部１７７が１８０度位相した位置でそれぞれ面取り状に形成されている。回転体１７０の球放出部１７７は、球受棚６１の側放出部６４の後側に隣接して形成されており、球受棚６１の側放出部６４を第２の放出経路１０２としている。
また、回転体１７０の長手方向の両端に隣接する部分をなす保持部材９１の一部には、回転体１７０の横軸線回りの回転動作にともなってその回転体１７０の外横経路１００ａを通過した球Ｂを受けてその球Ｂを第１の放出経路１０１に導く誘導部７８が形成されている。この第１の放出経路１０１は、球受棚６１と、誘導案内路８２によって構成されている。
【００４６】
また、回転体１７０の後側には、前記したように回転体１７０と協働して内外の横経路１００ａ、１００ｂを構成する後側壁８０が設けられるとともに、その後側壁８０の一部には、回転体１７０上の球Ｂが流入可能な流入口８１を有する誘導案内路８２が形成されている。この誘導案内路８２は、回転体１７０の下方を潜って役物本体４１の下部中央部に開口し、その開口部を流出口８３としている。この流出口８３は、可変始動口２６（遊技者に対し有利となる領域）の直上に接近して設けられている。
【００４７】
また、この実施の形態３において、図１３と図１６に示すように、回転体１７０の中央回転子１７２には、第１、第２の球受け凹部１７８、１７９が１８０度位相してそれぞれ凹設されている。
そして、第１球受け凹部１７８は、一方の側回転子１７４から内横経路１００ｂに放出された球Ｂを受ける受け口と、他方の側回転子１７４から内横経路１００ｂに放出された球Ｂの受け入れは阻止する壁部１７８ａとをそれぞれ有している。
これとは逆に、第２の球受け凹部は、他方の側回転子１７４から内横経路１００ｂに放出された球Ｂを受ける受け口と、一方の側回転子１７４から内横経路１００ｂに放出された球Ｂの受け入れは阻止する壁部１７９ａとをそれぞれ有している。
さらに、回転体１７０の中央回転子１７２の外周面の第１、第２の球受け凹部１７８、１７９が形成される以外の外周面の部分において、球受棚６１上の球Ｂを磁力によって吸着しかつ中央回転子１７２の横軸線回りの回転動作にともなって球Ｂを誘導案内路８２の流入口８１まで移送してその球Ｂを誘導案内路８２内に放出する所定数（図１６では１つであるが複数でもよい）第１の磁石１７３が埋め込み状に設けられている。
【００４８】
また、回転体１７０の左右の両側回転子１７４の外周面には、その各中央部に近い部分の各両側近傍において、球受棚６１上の球Ｂを磁力によって吸着しかつ回転体１７０の横軸線回りの回転動作にともなって球Ｂを後側壁８０の前面に当接する位置まで移送してその球Ｂを外横経路１００ａ又は内横経路１００ｂに放出するための各所定数（各１個でよく、複数個でもよい）第２の磁石１７５と第３の磁石１７６とがそれぞれ埋め込み状に設けられている。
この実施の形態３のその他の構成は実施の形態１と略同様に構成されるため、同一構成部分に対し同一符号を付記してその説明は省略する。
【００４９】
この実施の形態３においては上述したように構成される。
したがって、図１９に示すように、流入口５１から流入した球Ｂは、側湾曲部６２に誘導案内されて球受棚６１上に流れる（回転移動する）。球受棚６１上に流れて左右方向へ揺動した球Ｂのうち、一部の球Ｂは、球受棚６１の左右の側放出部６４あるいは中央放出部６５から放出される。
そして、図２０に示すように、球受棚６１の中央放出部６５から放出され球Ｂは、図中矢印方向にそれぞれ流れ、低い確率で可変始動口２６（遊技者に対し有利となる領域）に流入する。
【００５０】
また、図２１に示すように、球受棚６１上の中央放出部６５近傍に流れた球Ｂのうち、一部の球Ｂは、回転体１７０の中央回転子１７２の第１の磁石７３の磁力によって吸着される。そして、第１の磁石７３に吸着された球Ｂは、回転体１７０の横軸線回りの回転動作にともなって誘導案内路８２の流入口８１まで移送されその誘導案内路８２内に放出される。
図２２に示すように、誘導案内路８２内に放出された球Ｂは、その誘導案内路８２の流出口８３から放出されて図中矢印方向にそれぞれ流れ、高い確率で可変始動口２６（遊技者に対し有利となる領域）に流入する。
【００５１】
図２３に示すように、球受棚６１上を流れる球Ｂのうち、一部の球Ｂは、回転体１７０の側回転子１７４の第３の磁石１７６の磁力によって吸着される。
第３の磁石７６に吸着された球Ｂは、回転体１７０の横軸線回りの回転動作にともなって後側壁８０の前面に当接する位置まで移送されて放出された後、内横経路１００ｂに沿って回転移動する。そして、球Ｂは、回転体１７０の中央回転子１７２の第１球受け凹部１７８の壁部１７８ａ又は第２球受け凹部１７９の壁部１７９ａに当接し、一旦この位置で止められる。
引き続いて回転体１７０と一体に中央回転子１７２が回転動作し、第１球受け凹部１７８又は第２球受け凹部１７９の受け口が球Ｂに対応する位置に達すると、球Ｂはその受け口から第１球受け凹部１７８又は第２球受け凹部１７９に流入する。その後、回転体１７０と一体に中央回転子１７２が回転動作することで、球Ｂは、誘導案内路８２の流入口８１まで移送されその誘導案内路８２内に放出された後、その誘導案内路８２の流出口８３から放出される。このため、高い確率で可変始動口２６（遊技者に対し有利となる領域）に流入する（図２２参照）。
【００５２】
図２４と図２５に示すように、球受棚６１上を流れる球Ｂのうち、一部の球Ｂは、回転体１７０の側回転子１７４の第２の磁石１７５の磁力によって吸着される。
第２の磁石１７５に吸着された球Ｂは、回転体１７０の横軸線回りの回転動作にともなって後側壁８０の前面に当接する位置まで移送されて放出された後、外横経路１００ａに沿いかつ側回転子１７４の端部に向けて回転移動する。
球Ｂが側回転子１７４の端部の球放出部１７７を通るか、あるいは誘導部７８を通るかによって球経路が振り分けられる。そして、図２５に示すように、誘導部７８を通る球Ｂは、第１の放出経路１０１に流れ、図２４に示すように、球放出部１７７を通る球Ｂは、第２の放出経路１０２に流れる。
図２５に示すように、第１の放出経路１０１に流れた球Ｂは、第２の放出経路１０２に流れた球Ｂよりも高い確率で可変始動口２６（遊技者に対し有利となる領域）に流入する。
すなわち、第１の放出経路１０１としての球受棚６１上に戻された（リプレイされた）球Ｂは、球受棚６１の中央部に向けて流れる。
そして、球受棚６１上に戻された球Ｂは、前記したような経路を経て放出される。言い換えると、球受棚６１上に戻された球Ｂのうち、一部の球Ｂは中央回転子１７２の第１の磁石７３に吸着されて誘導案内路８２内に放出され、高い確率で可変始動口２６（遊技者に対し有利となる領域）に流入する。
【００５３】
特に、この実施の形態３において、回転体１７０は、その長手方向中央部に設けらた中央回転子１７２と、その中央回転子１７２の両側部から一体状に延出された太鼓形状をなす左右の両側回転子１７４と、を一体連続状に有し、全体形状としては略瓢箪形状をなしている。これによって、左右の両側回転子１７４上には、後側壁８０と協働して球Ｂを内側（回転体１７０の長手方向中央部側）と外側（回転体１７０の長手方向の端部側）の両横方向に誘導する外横経路１００ａと内横経路１００ｂとがそれぞれ構成される。
このため、この実施の形態３においては、前記実施の形態１と比べ、球受棚６１上を流れる球Ｂの動きをより一層変化させることができ、遊技の興趣をより一層高めることができる。
さらに、球受棚６１上を流れる球Ｂが回転体１７０の中央回転子１７２の第１の磁石７３に吸着されたり、あるいは左右の両側回転子１７４の各第２の磁石１７５、第３の磁石１７６に吸着されるか否かによって球Ｂが可変始動口２６（遊技者に対し有利となる領域）に流入する確率を変化させることができる。
【００５４】
なお、前記実施の形態３を次に述べるように変更してもこの発明を実施することができる。
例えば、回転体１７０の中央回転子１７２と、左右の両側回転子１７４とをそれぞれ別の駆動機構にトルク伝達可能に連繋し、これら中央回転子１７２と、左右の両側回転子１７４とをそれぞれ個別に回転制御することも可能である。
この場合には、例えば、中央回転子１７２と、左右の両側回転子１７４との回転速度、回転方向、回転・停止を遊技状況に応じてそれぞれ個別の制御して球Ｂの流れに変化を持たせることが可能となる。
【００５５】
なお、この発明は前記実施の形態１〜３に限定するものではない。
例えば、前記実施の形態１〜３においては、遊技盤１０の盤面上を流れる球Ｂは、まず、役物装置４０の流入口５１から流入した後、その下部の球受け部６０に受けられ、その後、球Ｂが球受棚６１を経て横長状の回転体７０（１７０）上の横経路１００（外横経路１００ａ、内横経路１００ｂ）に沿って回転移動する構成したが、流入口５１は必ずしも設けなくてもよい。言い換えると、この発明は、遊技盤１０の盤面上を流れる球Ｂを直接的に球受け部６０、あるいは回転体７０（１７０）上に受ける構成にしてもよい。さらに、遊技盤１０の盤面上を流れる球Ｂを回転体７０（１７０）上の略中央部で受ける構成にしてもよい。
また、球受け部６０に、回転体７０（１７０）と、その回転体７０（１７０）の前側に沿って球Ｂが回転移動可能な球受棚６１とをそれぞれ設けたが、球受棚６１は必ずしも設けなくてもよい。
また、後側壁８０に開口する流入口８１を有する誘導案内路８２においても必ずしも設けなくてもよい。
また、回転体７０（１７０）の第１〜第３の磁石７３、７５、７６（１７３、１７５、１７６）においても必ずしも設けなくてもよい。
【００５６】
また、前記実施の形態１〜３においては、遊技盤１０の盤面（前面）上を流れる球Ｂが流入可能な流入口５１を役物本体４１の左右両側部にそれぞれ設けられている場合を例示したが、役物本体４１の左右片側のみに流入口５１を設ける場合においてもこの発明を実施することができる。
また、回転体７０（１７０）においても、その長手方向の両端部近傍に、回転体７０の横軸線回りの回転動作にともなって球Ｂを第１の放出経路１０１と、第２の放出経路１０２とに振り分ける振分部７９をそれぞれ設けたが、回転体の片側に対してのみ、振分部７９を設けることによってもこの発明を実施することができる。この場合、回転体は、一端側が大径で他端側に向けてしだいに小径に形成されたテーパ筒状に形成されることが望ましい。
【００５７】
【発明の効果】
以上述べたように、この発明によれば、役物装置の流入口から流入した球を、横長状の回転体上に設けられた横経路を経て第１の放出経路あるいは第２の放出経路のいずれかに振り分けて流すことができる。
このようにして、球の移動経路に変化をもたせることができ、第１の放出経路に球が流れたときには、その球を高い確率で遊技者に対し有利となる領域に流入させることで、遊技者に対し期待感を与え、遊技の興趣を高めることができる。
【図面の簡単な説明】
【図１】この発明の実施の形態１に係る遊技機の遊技盤全体を示す正面図である。
【図２】同じく役物装置を拡大して示す斜視図である。
【図３】同じく回転体、保持部材及びモータ等を一体状に備えた回転体ユニットを示す斜視図である。
【図４】同じく回転体を示す斜視図である。
【図５】同じく球受棚上に受けられた球が側放出部や中央放出部から放出される状態を示す説明図である。
【図６】同じく球受棚上に受けられた球が誘導案内路を経て流出口から放出される状態を示す説明面である。
【図７】同じく球受棚上に受けられた球が回転体の左右の横経路をそれぞれ経て、同回転体の一側の球が第１の放出経路に、他側の球が第２の放出経路にそれぞれ放出される状態を示す説明図である。
【図８】同じく球受棚上に受けられた球が回転体の左右の横経路をそれぞれ経て、同回転体の一側の球が第２の放出経路に、他側の球が第１の放出経路にそれぞれ放出される状態を示す説明図である。
【図９】この発明の実施の形態１に係る回転体の他の実施態様を示す説明図である。
【図１０】この発明の実施の形態２に係る役物装置を下部を示す斜視図である。
【図１１】同じく図１０のＸＩ−ＸＩ線に基づく断面図である。
【図１２】この発明の実施の形態３に係る役物装置を下部を示す斜視図である。
【図１３】同じく回転体を示す斜視図である。
【図１４】同じく図１３のＸＩＶ−ＸＩＶ線に基づく断面図である。
【図１５】同じく図１３のＸＶ−ＸＶ線に基づく断面図である。
【図１６】同じく図１３のＸＶＩ−ＸＶＩ線に基づく断面図である。
【図１７】同じく図１３のＸＶＩＩ−ＸＶＩＩ線に基づく断面図である。
【図１８】同じく図１３のＸＶＩＩＩ−ＸＶＩＩＩ線に基づく断面図である。
【図１９】同じく球受棚上に受けられた球が中央放出部から放出される状態を示す説明図である。
【図２０】同じく中央放出部から放出され球の流れを示す説明図である。
【図２１】同じく球受棚上に受けられた球が誘導案内路を経て流出口から放出される状態を示す説明図である。
【図２２】同じく誘導案内路の流出口から放出された球の流れを示す説明図である。
【図２３】同じく球受棚上に受けられた球が回転体の側回転子上の内横経路を経て誘導案内路に流れる状態を示す説明図である。
【図２４】同じく回転体の外横経路を流れた球が振分部によって第２の放出経路に流れる状態を示す説明図である。
【図２５】同じく回転体の外横経路を流れた球が振分部によって第１の放出経路に流れる状態を示す説明図である。
【符号の説明】
１０　遊技盤
２５　入球装置
２６　可変始動口（遊技者に対し有利となる領域）
４０　役物装置
４１　役物本体
５１　流入口
６０　球受け部
６１　球受棚
６４　側放出部
６５　中央放出部
７０　回転体
７３　第１の磁石
７５　第２の磁石
７６　第３の磁石
８０　後側壁
８１　流入口
８２　誘導案内路
８３　流出口
１００　横経路
１０１　第１の放出経路
１０２　第２の放出経路
【図１】
2004097800.tif 000003
【図２】
2004097800.tif 000004
【図３】
2004097800.tif 000005
【図４】
2004097800.tif 000006
【図５】
2004097800.tif 000007
【図６】
2004097800.tif 000008
【図７】
2004097800.tif 000009
【図８】
2004097800.tif 000010
【図９】
2004097800.tif 000011
【図１０】
2004097800.tif 000012
【図１１】
2004097800.tif 000013
【図１２】
2004097800.tif 000014
【図１３】
2004097800.tif 000015
【図１４】
2004097800.tif 000016
【図１５】
2004097800.tif 000017
【図１６】
2004097800.tif 000018
【図１７】
2004097800.tif 000019
【図１８】
2004097800.tif 000020
【図１９】
2004097800.tif 000021
【図２０】
2004097800.tif 000022
【図２１】
2004097800.tif 000023
【図２２】
2004097800.tif 000024
【図２３】
2004097800.tif 000025
【図２４】
2004097800.tif 000026
【図２５】
2004097800.tif 000027